Podtech/llm-jp-corpus-v4-ja_patent huggingface dataset:
(57)【要約】      （修正有）【課題】強風など、悪条件でも、旗のあるべき姿を維持し、宣伝効果を損ねない為に、回転機能と競りあがり防止機能を一体化した旗の取付け具を提供する。【解決手段】回転部２に、競りあがり防止ストッパ−３を設け、最後部に旗ひもフック４を成型する。旗竿１の最後部から回転部２を通す。旗ひもの最下段を、旗ひもフック４に掛ける。旗に風圧が係ると、旗裾が上がろうとする。これを旗竿と、回転部２、競りあがりストッパ−３それぞれの接点で抑え、静止状態を維持出来るようにする。【選択図】図１
2006350266.tif 000002
【特許請求の範囲】
【請求項１】
回転部に競り上がり防止ストッパ−を設け、旗竿と、回転部、競り上がり防止ストッパ−、それぞれの接点摩擦抵抗に依り、旗裾の競り上がりを防ぎ、旗の静止状態を維持する。
【発明の詳細な説明】
【発明の詳細な説明】
【０００１】［発明の属する技術分野］
本発明は、屋外に設置される旗が、強風に煽られて競り上がり、絡んだり縮小して宣伝効果を損ねることを防ぐため、回転機能と競り上がり防止機能とを一体化したものである。
【０００２】［従来の技術］
従来は、回転部と競り上がりストッパ−が別々のもので作られ、一体になったものはなかった。
【０００３】［発明が解決しようとする課題］
旗の絡みつきを防ぐため、回転部の改良はされて来たが、競り上がりを防ぐ方策が不足であった。回転部と競り上がり防止部が別々のため、コスト増、簡便性に劣るという難点があった。本発明は、この課題を解消するためになされたものである。
【０００４】［課題を解決する為の手段］
回転部に、競り上がりストッパ−を設ける事に依り、旗に風圧が掛かると、旗竿と、回転部、競り上がりストッパ−、それぞれの接点で、旗裾が上がろうとするのを抑えるようにした。それぞれの接点は、摩擦抵抗を最大にする為、ゴム、ビニ−ル系の材質とする。
【０００５】［発明の実施の形態］
以下、本発明の実施の形態について、説明する。
（イ）、旗竿１の最下部より、くぐらせ取り付ける回転部２に、競り上り防止ストッパ−３を、以下の条件にて設ける。
Ａ、回転部２に対し、上方２５度〜３０度で設ける。
Ｂ、旗竿１と競り上がり防止ストッパ−２の先端間隔を２ｍｍ設ける。
（ロ）、競り上がり防止ストッパ−３の最後尾を下方に折りまげ、旗ひもフック４を成型する。
（ハ）、幅止５で、固定する。
（ニ）、使用する材質は、復元力のある被覆鋼線、又は、プラスチック成型に、ビニ−ルを被覆する。
【０００６】［発明の効果］
回転部と、競り上がり防止ストッパ−を一体化した事でコスト削減になる。又取り付けは、回転部を旗竿の下から通し、最下段の旗ひもをフックに掛けるので、簡便である。
さらに、強風や突風でも旗裾は、定位置にとどまり、旗の本来の目的を果たす事ができる。
【図面の簡単な説明】［図１］
本発明の側面図である。
［図２］
本発明の平面図である。
［図３］
本発明の斜面図である。
【符号の説明】
１、旗竿
２、回転部
３、競り上がりストッパ−
４、旗ひもフック
５、幅止
【図１】
2006350266.tif 000003
【図２】
2006350266.tif 000004
【図３】
2006350266.tif 000005
(57)【要約】【課題】撮影者や被写体者が所有する著作権や意匠権等を明確にし、相互利用できる環境をインターネット上に構築すること。【解決手段】撮影者や被写体者が所有する著作権や意匠権等をライセンス管理し、そのデータを使い利用者専用のホームページを提供する。被写体者ならびに撮影者は、それら権利に対する使用料を受け取る権利を得ることができ、利用者は専用のホームページの提供を受け、利用期間に応じて利用料をサーバー側に支払うことで正当な権利を確保する。【選択図】図１
2006350607.tif 000002
【特許請求の範囲】
【請求項１】
サーバー等を設置し、写真等の撮影者ならびに被写体者はそのデータをサーバー側に提供するとともに著作権や意匠権等の使用料を受け取る権利をサーバー側から得ます。
【請求項２】
サーバー側にある写真等のデータ利用者には専用のサーバーと、撮影者等の名称等が記載された利用者専用のホームページが提供され、利用者はその利用期間に対し利用料を支払う債務を負います。
【請求項３】
サーバー側は被写体者と撮影者の双方が持つ著作権や意匠権等をライセンス管理し、利用者に仲介します。
【発明の詳細な説明】
【技術分野】
【０００１】
本発明は写真等の著作権、意匠権等を管理し、その作者と利用者を仲介するシステムである。
【背景技術】
【０００２】
一般にプロのカメラマンが撮影した写真には著作権や意匠権等があり、また被写体が人物の場合には被写体側にも著作権等があるが、そのデータを使いインターネット等に公開するには両者の合意が必要である。
【０００３】
利用者が個人である場合にはその法解釈や利用手続きの頻雑さ等があり、無断利用や不正利用も発生しており、問題化傾向にある。
【特許文献１】特開２００２−７３８６２
【特許文献２】特開２００２−１２３７６７
【特許文献３】特開２００２−１８３０３５
【特許文献４】特開２００４−２５８９２０
【発明の開示】
【発明が解決しようとする課題】
【０００４】
解決しようとする問題点は、写真等撮影者や被写体者の持つ著作権、意匠権等が容易に相互利用できる環境が構築されていないことにあり、これを提供することである。
【課題を解決するための手段】
【０００５】
本発明は、撮影者や被写体者の持つ著作権や意匠権等のライセンスをサーバーが仲介し、そのライセンス利用者には専用ホームページが提供され、それを使用する期間においてのみ、正当な利用者としてライセンス管理される。
【０００６】
著作権や意匠権等を所持する両者にはその権利を管理するサーバー側から使用料が支払われる権利を得ることが最も主要な特徴である。
【発明の効果】
【０００７】
撮影者や被写体者が所有する著作物に対する権利が明確となり、ライセンス管理されることで利用促進が見込まれる。
【０００８】
利用者は著作物利用の利便性が向上し、権利関係を侵害することなく手軽に自分の専用ホームページを利用することができる。
【発明を実施するための最良の形態】
【０００９】
以下、本発明の実施形態を図面に基づき詳細に説明する。
【００１０】
図1のようにＣ利用者と、Ａ被写体者、Ｂ撮影者の著作物所有者の間で著作物利用の仲介をすることで両者の利益と利便性を向上させます。
【００１１】
Ｄ専用サーバーを設置し、Ａ被写体者とＢ撮影者は撮影者等の名称等が加えられた写真等の０１データを、Ｄサーバー側に提供します。
【００１２】
Ａ被写体者ならびにＢ撮影者が所有する０１データの、ライセンス管理をＤサーバーが行います。
【００１３】
Ｃ利用者にはＣ利用者専用のホームページが提供され、その使用する写真等の０１データをインターネット上に公開することができます。
【００１４】
Ｃ利用者はＣ利用者専用のホームページを利用し、その利用期間に対してＤサーバー側に利用料を支払います、またＤサーバー側はＢ撮影者およびＡ被写体者にその０１データの使用料を支払います。
【実施例】
【００１５】
写真スタジオなどで自分の写真を撮影し専用ホームページを作成したいときに、撮影者を通じて簡単に作成を依頼することができるとともに撮影者にはサーバー側からその写真データの使用料が支払われることで相互に活用することができ、利用者は決められたサーバーを使用するのでライセンス管理が容易に可能となる。
【図面の簡単な説明】
【００１６】
【図１】著作権や意匠権の相互利用に関する説明図である。（発明を実施するための最良の形態）
【図１】
2006350607.tif 000003
(57)【要約】【課題】  院内感染ＭＲＳＡ（メチシリン耐性黄色ブドウ球菌）は医療現場では、深刻な問題となっている。【解決の手段】  有機性残渣処理水が、特に黄色ブドウ球菌に対し、強い抗菌活性のあることが、宮崎大学工学部物質環境化学科（林幸男教授教室）の実験によって証明された。  器物、手指の接触感染、飛沫を吸い込む飛沫感染、治療器具（各種カテーテルなど）からの感染などに対し、処理水は、液体での洗滌、噴霧器での散布などに活用できる。薬害なく、廉価な黄色ブドウ球菌制圧剤を提供するものである。【選択図】図２
2006328035.tif 000002
【特許請求の範囲】
【請求項１】
有機性残渣処理水を活用するのを特徴とする黄色ブドウ球菌制圧剤
【発明の詳細な説明】
【技術分野】
【０００１】  本発明は、黄色ブドウ球菌に対する有機性残渣処理水の活用に関するものである。
【背景技術】
【０００２】  従来、黄色ブドウ球菌など細菌に対しては、それぞれの細菌に対応する抗生物質によって予防、治療を行ってきた。  しかし、１９６１年英国にて初めて報告され、わが国でも１９８０年代に報告された抗生物質に耐性をもつＭＲＳＡ（メチシリン耐性黄色ブドウ球菌）による院内感染は、深刻な問題となっている。【０００３】  現在、抗ＭＲＳＡ剤として、化合物を有効成分として含有する薬剤（特許文献１参照）また、抗菌性色素剤と抗菌薬及び有機酸を含有した消毒剤（特許文献２参照）などが提案されている。【０００４】
【特許文献１】特許公開２００４−３３９０１５
【特許文献２】特許公開２００５−１１２８０１
【発明の開示】
【発明が解決しようとする課題】
【０００５】  抗生物質の使用は、すぐまた、その耐性菌を発生させるという新たな問題を引き起こしている。これまで提案されている抗菌剤や消毒剤などは、僅かながら薬害や価格面で難点があった。  本発明は、これらの問題点を解決するためのものである。
【課題を解決するための手段】
【０００６】  有機性残渣処理水を活用するのを特徴とする黄色ブドウ球菌制圧剤である。
【発明の効果】
【０００７】  有機性残渣処理水は、廃棄物などから得られるものなので、生産コストも低く廉価で提供でき、そのうえ薬害の心配のないのが特長である。
【発明を実施するための最良の形態】
【０００８】  この有機性残渣処理水は、無害の液体として、植物などの灌水に利用される中で、水道水や井戸水と違う、植物の生育や防疫などの作用があると見られるようになった。  このような処理水の抗菌作用を、現在、注目されている院内感染ＭＲＳＡ（メチシリン耐性黄色ブドウ球菌）に活用するものである。【０００９】  以下、宮崎大学工学部物質環境化学科（林幸男教授教室）による「抗菌試験結果」によると、  処理水を使って５種類の微生物（バクテリア、酵母、カビ）を用いて抗菌試験を行った。無菌ろ過した処理水、または精製水に微生物を懸濁し３０℃で１日間（２日間）放置した後、寒天培地（プレート）上で培養した。その結果、精製水に比べ処理水に懸濁した微生物の増殖が抑制された。特に黄色ブドウ球菌（Ｓｔａｐｈｙｌｏｃｏｃｃｕｓ  ａｕｒｅｕｓ  ｓｕｂｓｐ．ａｕｒｅｕｓ）では、全く増殖が見られなかった。  このことから、処理水が、特に黄色ブドウ球菌に対して強い抗菌活性を示すことが分かった。【００１０】  実験方法は▲１▼懸濁液５ＵＬに滅菌水を５００ＵＬ加え、３０℃で保温。▲２▼懸濁液５ＵＬに有機性残渣の分解処理水（ＰＨ５．６滅菌フィルター０．２Ｕｍ濾過したもの）を５００ＵＬ加え、３０℃で保温。▲３▼懸濁液５ＵＬに有機性残渣の分解処理水（ＰＨ８．６滅菌フィルター０．２Ｕｍ濾過したもの）を５００ＵＬ加え、３０℃で保温。  いずれも１日後に５０ＵＬを採取し、平板培地に塗布し培養した。  その結果▲１▼では、黄色ブドウ球菌は、全面に撒いたように増殖していた。▲２▼では、黄色ブドウ球菌は、５個のコロニーが散在していた。▲３▼では、黄色ブドウ球菌は、２個のコロニーが見られた。  また、２日後に５０ＵＬを採取し、平板培地に塗布し培養した。  その結果▲４▼では、全面に散開した状態で、黄色ブドウ球菌は広がっていた。▲５▼と▲６▼では、いずれも黄色ブドウ球菌は根絶している。【００１１】  ＭＲＳＡ出現の背景には、医療現場での抗生物質の乱用が指摘されており、感染の予防がますます重視されている。しかし、消毒剤耐性を獲得したＭＲＳＡが院内感染の主流を占めているといわれ、より深刻な状態となっている。  この処理水は、黄色ブドウ球菌に対し、強い抗菌活性を示すことが証明された。【００１２】  汚染された器物、手指を介した接触感染、飛沫を吸い込むことで起きる飛沫感染、治療器具（各種カテーテル等）を介した感染などに対し、処理水は、液体での洗滌、噴霧器での散布、加湿器への使用など手広く利用できる、黄色ブドウ球菌制圧剤として提供するものである。  また、特に薬害がなく、黄色ブドウ球菌が引き起こす食中毒の予防剤として給食施設での用途も考えられる。
【図面の簡単な説明】
【００１３】【図１】黄色ブドウ球菌を精製水と処理水で１日後採取培養した比較
【図２】黄色ブドウ球菌を精製水と処理水で２日後採取培養した比較
【符号の説明】
【００１４】  ▲１▼精製水で、１日後採取、培養したもの  ▲２▼処理水ＰＨ５．６で、１日後採取、培養したもの  ▲３▼処理水ＰＨ８．６で、１日後採取、培養したもの  ▲４▼精製水で、２日後採取、培養したもの  ▲５▼処理水ＰＨ５．６で、２日後採取、培養したもの  ▲６▼処理水ＰＨ８．６で、２日後採取、培養したもの
【図１】
2006328035.tif 000003
【図２】
2006328035.tif 000004
(57)【要約】【課題】  釘を用いて硬質木片セメント板を鋼材に固定する際に、硬質木片セメント板に割れが発生するのを抑えることのできる硬質木片セメント板の固定方法を提供する。【解決手段】  硬質木片セメント板２を金属フレーム１に固定する際に、ビッカース硬度５００以上の釘４を用いて固定する。【選択図】        図１
2006328776.tif 000002
【特許請求の範囲】
【請求項１】
硬質木片セメント板を鋼材に固定する際に、ビッカース硬度５００以上の釘を用いて固定することを特徴とする硬質木片セメント板の固定方法。
【請求項２】
ビッカース硬度が５００以上であることを特徴とする硬質木片セメント板固定用釘。
【発明の詳細な説明】
【技術分野】
【０００１】
本発明は、硬質木片セメント板を鋼材等に固定するための硬質木片セメント板の固定方法、および硬質木片セメント板固定用釘に関する。
【背景技術】
【０００２】
一般に、硬質木片セメント板をスタッド（間柱）等に取り付ける際、硬質木片セメント板の裏面に金属フレーム（鋼材）を固定しておき、この金属フレームをブラインドリベットを用いてスタッドに取り付ける方法が提案されている（特許文献１参照）。
【特許文献１】特開平８−１９７３４８号公報
【発明の開示】
【発明が解決しようとする課題】
【０００３】
ところで、硬質木片セメント板の裏面に金属フレームを固定する場合、通常、硬質木片セメント板に釘を打ち込んで、その釘を金属フレームまで貫通させることにより、金属フレームを硬質木片セメント板に固定するようにしている。
【０００４】
しかし、通常の釘（軟鉄、オーステナイト系ステンレスの釘）を硬質木片セメント板に打ち込んでいくと、釘が硬質木片セメント板を貫通し、さらに金属フレームを貫通するときに、釘の先端部の弾性変形に伴って硬質木片セメント板も一緒に面外方向に変形する。このように硬質木片セメント板が局部的に変形すると、硬質木片セメント板に割れが発生しやすいという問題がある。
【０００５】
本発明の課題は、釘を用いて硬質木片セメント板を鋼材に固定する際に、硬質木片セメント板に割れが発生するのを抑えることのできる硬質木片セメント板の固定方法、および硬質木片セメント板固定用釘を提供することにある。
【課題を解決するための手段】
【０００６】
上記課題を解決するために、請求項１に記載の硬質木片セメント板の固定方法は、硬質木片セメント板を鋼材に固定する際に、ビッカース硬度５００以上の釘を用いて固定することを特徴としている。
【０００７】
上記方法によれば、ビッカース硬度５００以上の釘を用いているので、釘の貫通力が増して、釘が鋼材を貫通するとき、釘の先端部は鋼材を押して弾性変形するが、その際の釘の変形量が小さくなる。その結果、釘に押されて変形する硬質木片セメント板も面外方向への変形量が少なくなり、硬質木片セメント板に割れが発生するのを効果的に抑えることができる。
【０００８】
また、請求項２に記載の硬質木片セメント板固定用釘は、ビッカース硬度５００以上であることを特徴としている。
【発明の効果】
【０００９】
本発明によれば、釘を用いて硬質木片セメント板を鋼材に固定する際に、硬質木片セメント板に割れが発生するのを効果的に抑えることができる。
【発明を実施するための最良の形態】
【００１０】
以下、本発明の実施例を図面に従って説明する。
【実施例】
【００１１】
図１は、本発明に係る固定方法によって金属フレーム１が固定された硬質木片セメント板２を、スタッド３に取り付けたときの断面図である。
【００１２】
硬質木片セメント板２は例えば縦長矩形をなしており、その裏面には、鋼材である金属フレーム１が釘４によって固定されている。なお、金属フレーム１は冷間圧延鋼板を矩形状に折り曲げて形成され、硬質木片セメント板２の周囲に固定されている。
【００１３】
釘４は、図１に示すように、一側の先端部４Ａが細く鋭く形成された胴部４Ｂと、胴部４Ｂの他側端部に設けられた頭部４Ｃとから構成されている。ここで、胴部４Ｂの横断面は円形をなしており、また頭部４Ｃは円錐台形状をなしている。
【００１４】
釘４は全体（胴部４Ｂ及び頭部４Ｃ）がビッカース硬度５００以上に設定されている。なお、釘４は少なくとも胴部４Ｂの先端部４Ａがビッカース硬度５００以上に設定されていればよい。
【００１５】
釘４を用いて硬質木片セメント板２の裏面に金属フレーム１を固定する際、先ず、硬質木片セメント板２と金属フレーム１との間に接着剤５を塗っておく。そして、この接着剤５を塗った箇所に硬質木片セメント板２の表側から釘５を打ち込んでいく。
【００１６】
釘４を打ち込んでいく際に、通常の釘（軟鉄、オーステナイト系ステンレスの釘）を使用すると、硬質木片セメント板２を釘４が貫通して、金属フレーム１を釘４が貫通するとき、釘４の先端部の弾性変形に伴って硬質木片セメント板２も一緒に面外方向に変形する。このように硬質木片セメント板２が局部的に変形すると、硬質木片セメント板２に割れが発生しやすい。
【００１７】
これに対し、本実施例のように釘４がビッカース硬度５００以上であれば、釘４の貫通力が増して、釘４が金属フレーム１を貫通するとき、釘４の先端部４Ａは金属フレーム１を押して弾性変形するが、その際の釘４の変形量が小さくなる。その結果、釘４に押されて変形する硬質木片セメント板２も面外方向への変形量が少なくなり、硬質木片セメント板２に割れが発生するのを抑えることができる。
【００１８】
なお、硬質木片セメント板２の裏面に固定された金属フレーム１は、ブラインドリベット６によってスタッド３に取り付けられている。
【００１９】
次に、本発明に係る硬質木片セメント板固定用の釘４を用いて硬質木片セメント板２に金属フレーム１を固定する実験を行った。その実験結果を表１に示す。
【００２０】
【表１】
2006328776.tif 000003
【００２１】
表１から分かるように、実験例１、比較例１および比較例２において、基材（つまり、硬質木片セメント板）の板厚、金属フレームの板厚、釘の軸径はすべて同じとし、釘の硬度だけを各々異ならせた（実験例１では５６０、比較例１では３４２、比較例２では４００）。その結果、実験例１では割れは発生しなかったが、比較例１と比較例２では割れが発生した。
【００２２】
以上、本発明の実施例を図面により詳述してきたが、上記実施例は本発明の例示にしか過ぎないものであり、本発明は上記実施例の構成にのみ限定されるものではない。本発明の要旨を逸脱しない範囲の設計の変更等があっても、本発明に含まれることは勿論である。例えば、釘４の頭部４Ｃは円錐台状とは限らず、円形平板状であってもよい。
【図面の簡単な説明】
【００２３】
【図１】本発明に係る固定方法によって金属フレームが固定された硬質木片セメント板を、スタッドに取り付けたときの断面図である。
【符号の説明】
【００２４】
１  金属フレーム（鋼材）
２  硬質木片セメント板
３  スタッド
４  釘
４Ａ  釘の先端部
４Ｂ  釘の胴部
４Ｃ  釘の頭部
【図１】
2006328776.tif 000004
(57)【要約】      （修正有）【課題】掃除、洗車、入浴時における身体洗いなどと、多目的に使用可能なスポンジ入り５本指作業用手袋を提供する。【解決手段】厚綿生地またはタオル生地を使用して５本指の二層の手袋を作成し、下部分に同型の厚さ１センチ程度のスポンジを挿入し、ズレないように手首の部分で縫合する事を特徴とする作業用手袋。【選択図】図１
2006328620.tif 000002
【特許請求の範囲】
【請求項１】
厚綿生地またはタオル生地を使用して５本指の二層の手袋を作成し、下部分に同型の厚さ１センチ程度のスポンジを挿入し、ズレないように手首の部分で縫合する事を特徴とする作業用手袋。
【発明の詳細な説明】
【技術分野】
【０００１】  本発明は掃除、洗車、入浴時における身体洗いなどと多目的に使用可能なスポンジ入り５本指作業用手袋に関する物である。
【背景技術】
【０００２】  従来、作業用手袋はミトン型や、５本指型であっても薄手の物やそれを構成する素材が合成樹脂や弾体性の物であった。また指先や手のひら側表面に何らかの加工を施した物であった。
【発明の開示】
【発明が解決しようとする課題】
【０００３】  それらには次のような問題点があった。
（イ）ミトン型では指先を利用しての細かい作業ができなかった。
（ロ）５本指型では薄手の物が多く、ある程度の厚みと弾力を必要とする作業、いわゆる水拭きのように全体的に水分を含んだ状態で使用や、逆に乾拭き、水を拭取る、吸取るといった多目的に使用できるものが無かった。
（ハ）掃除用に製作された物は、手のひら表面上に加工を施した物が多く、身体に直接使用するには不適当であった。
本発明は以上の問題点を解決するためのものである。
【課題を解決するための手段】
【０００４】  上記目的を解決するために、厚綿生地またはタオル生地を使用して、５本指の二層の手袋を作成し、下部分に同型の厚さ１センチ程度のスポンジを挿入し、ズレないように手首部分で縫合する。以上のことを特徴とする作業用手袋である。
【発明の効果】
【０００５】  内部にスポンジを使用することで、水を含ませたり、絞ったりすることが容易となり、水拭きはもちろん、水を拭取る、吸取るといった作業も可能となる。また入浴時の身体洗いに使用した場合でも、厚綿生地、またはタオル生地の感触はそのままで軽く、石鹸などの泡立ちも良く、肌の弱いお子様やご年配の方にも安心して使用して頂ける。更に使用時において内部のスポンジがクッションとなり、あらゆる形状、突起などから手を保護する事ができる。
【発明を実施するための最良の形態】
【０００６】  以下、本発明の実施の形態について説明する。
（イ）厚綿生地またはタオル生地を用いて、図１の内部が二層の５本指の手袋を作成する。
（ロ）二層内部の下部分図２（ａ）に、同型の厚さ１センチ程度のスポンジ図３を挿入し、手首の部分でズレないように縫合する。その際、二層の上部分図２（ｂ）は、使用時に手を挿入する部分なので、手首の部分は縫合しない。
本発明は以上の構成で、これを使用するときは、図２（ｂ）の部分に手を挿入して使用する。
掃除用として使用した場合、指先を利用しての細かい作業や、手のひら側全体を利用しての大きな作業も可能で、球体から複雑な形状の物までさまざまな使用が可能となる。また両手に装着しての使用により、１度に別々の場所での使用が可能となる。
入浴時の身体洗いとして使用した場合、綿生地、タオル生地の感触はそのままに、軽く泡立ちも良く、余計な泡や水を飛ばす事なく使用でき、特にお子様や身体の不自由な方への使用では、つかみ洗いや、支えながらの使用が可能な為、落としたり、持ち替えたりといった煩わしさから開放される、更に各指先を利用して細かな部分にまで使用できる。
【図面の簡単な説明】
【０００７】
【図１】本発明の正面図
【図２】本発明の手首側から見た断面図
【図３】内部に挿入されている図１と同型のスポンジ
【符号の説明】
【０００８】（ａ）手袋の下部分に挿入されているスポンジ
（ｂ）手袋の手を挿入する上部分
【図１】
2006328620.tif 000003
【図２】
2006328620.tif 000004
【図３】
2006328620.tif 000005
(57)【要約】      （修正有）【課題】  パンツの裏側に設けたポケットに、布おむつを入れて着用する、幼児用おむつポケット付きパンツを提供する。【解決手段】  パンツの裏側に、男児用は前部に、女児用は中央部に、布おむつを入れるポケットを設け、そこに布おむつを入れて着用することを特徴とする幼児用おむつポケット付きパンツである。  洗濯時には、パンツと布おむつを分けて洗え、また、分けて干せるので、衛生的で乾きも早く使いやすい。  さらに、トレーニング終了後は、通常の下着として着用できる。【選択図】  図１
2006328617.tif 000002
【特許請求の範囲】
【請求項１】
パンツにポケットを設け、そこに布おむつを入れて着用する事を特徴とする幼児用おむつポケット付きパンツ。
【発明の詳細な説明】
【技術分野】
【０００１】  本発明は、通常の下着としてのパンツの裏側に設けたポケットに、布おむつを入れて着用する、幼児用おむつポケット付きパンツに関するものである。
【背景技術】
【０００２】  従来、幼児のトイレトレーニング用パンツとして、股部に布等を何枚も重ねて、一体型になったパンツはあった。
【発明の開示】
【発明が解決しようとする課題】
【０００３】  そのために、次のような問題点があった。
股部が何重にもなっているため、乾きにくく使いにくかった。また、トイレトレーニング終了後は使用しなくなり不経済であった。
本発明は以上の問題点を解決しようとするものである。
【課題を解決するための手段】
【０００４】  通常の下着としてのパンツの裏側に、男児用は前部に、女児用は中央部に、布おむつを入れるポケットを設け、そこに布おむつを入れて着用する。以上を特徴とする幼児用おむつポケット付きパンツである。
【発明の効果】
【０００５】  本発明は、通常の下着としてのパンツにポケットを設け、そこに布おむつを入れて着用するので、洗濯時には、パンツと布おむつを分けて洗え、また、分けて干せるので、衛生的で乾きも早く使い易い。さらに、トイレトレーニング終了後は、通常の下着として着用できるので経済的である。
【実施例１】
【０００６】  男児用として、ボクサーパンツ型のパンツの裏側（１）の前部に、パンツと同じ素材のポケット（２）を設ける。ポケット上開口部（３）は上部に設ける。
本発明の実施例１を使用するときは、ボクサーパンツ型のパンツの裏側（１）に設けたポケット（２）に、ポケット上開口部（３）から、布おむつ（４）を入れて着用する。
【実施例２】
【０００７】  女児用として、ボクサーパンツ型のパンツの裏側（１）の中央部に、パンツと同じ素材のポケット（１）を設ける。ポケット開口部は前後に設ける。
本発明の実施例２を使用するときは、ボクサーパンツ型のパンツの裏側（１）に設けたポケット（２）に、ポケット前開口部（５）、または、ポケット後ろ開口部（６）から、布おむつ（４）を入れて着用する。本発明は、布おむつを使うように述べてきたが、吸湿性を備えたナプキンを使用して着用する事もできることは当然である。また、幼児用に限らず、失禁性を伴う老人用として使用できる。
【図面の簡単な説明】
【０００８】
【図１】本発明の実施例１の斜視図
【図２】本発明の実施例２の斜視図
【符号の説明】
【０００９】１  パンツの裏側
２  ポケット
３  ポケット上開口部
４  布おむつ
５  ポケット前開口部
６  ポケット後ろ開口部
【図１】
2006328617.tif 000003
【図２】
2006328617.tif 000004
(57)【要約】      （修正有）【課題】パンティーストッキングを履いたとき縫い目がつま先にあたる不快感を解決すること。【解決手段】つま先の縫い目を縦にして親指と人差し指の間に挟みこみことによってこの課題を解決。【選択図】図１
2006328621.tif 000002
【特許請求の範囲】
【請求項１】
縫い目を縦にしたことを特徴とするパンティーストッキング
【請求項２】
縫い目を足の親指と人差し指の間に縦につけ、親指と人差し指の間でハナオのようにしたことを特徴とするパンティーストッキング
【発明の詳細な説明】
【技術分野】
【０００１】本発明はパンティーストッキングに関するものであり、ストッキングのつま先の縫い目に工夫を加えることによってつま先のズレやごろつきによる不快感を解消したものである。
【技術背景】
【０００２】従来からパンティーストッキングの縫い目は、つま先の指にそって単純に縫われているだけである。
【発明の開示】
【発明が解決しようとする課題】
【０００３】しかし、これではつま先で縫い目がごろついてしまい不安定であると共に、縫い目がつま先を圧迫し足に不快感をあたえるので、本発明はその不快感をなくす事を課題としている。
【課題を解決するための手段】
【０００４】この課題を解決するため請求項１の発明は、縫い目を縦にしてパンティーストッキングを履いたときの不快感を解消したものである。【０００５】またこのストッキングは、親指と人差し指の間にハナオのように繊維があり指間に心地よい刺激を与える。
【発明の効果】
【０００６】本発明により、パンティーストッキングを履いたとき、つま先がズレることなく安定させると共に、ごろつきによる不快感を解消する。
又、親指と人差し指の間にハナオのように繊維をつける事により「八風や行間などのツボ」を刺激する為、冷えやむくみや疲労などを改善する効果を期待できる。
【発明を実施するための最良の形態】
【０００７】図１は縫い目を縦にしたことを特徴とするつま先の不快感を解消したパンティーストッキングを前から見た図である。同図に示すように縫い目がつま先に当たらずに収まり、つま先の不快感を感じさせずに済む。【０００８】図２は縫い目を足の親指と人差し指の間に収まるようにしたパンティーストッキングを前から見た図である。同図に示すように縫い目が親指と人差し指の間に収まり、指先に当たることなくズレや不快感を解消する。
【産業上の利用可能性】
【０００９】本発明に係わるパンティーストッキングは、工業的に量産することが可能であるため、産業上の利用可能性を有する。
【図面の簡単な説明】
【００１０】
【図１】縫い目を縦にした、ズレ、不快感防止のパンティーストッキングの前面図である。
【図２】縫い目を縦にした、ズレ、不快感防止のパンティーストッキングの上面図である。
【図３】縫い目を縦にした、ズレ、不快感防止のパンティーストッキングの側面図である。
【図４】従来の縫い目が横についているパンティーストッキングの前面図である。
【図１】
2006328621.tif 000003
【図２】
2006328621.tif 000004
【図３】
2006328621.tif 000005
【図４】
2006328621.tif 000006
(57)【要約】      （修正有）【課題】湿気を調節した納骨室の提供。【解決手段】高温で焼成した珪藻土を納骨室（土葬含む）に散布することにより、湿気を調湿することで、環境の良い中で自然の土に還るお役にたてます。高温で焼成することにより、”清められた土”とした。【効果】本珪藻土は吸湿・消臭・調湿に優れ、またマイナスイオンの発生により酸化腐食やカビ・ダニの発生を防ぐ効果がある。【選択図】図１
2006328919.tif 000002
【特許請求の範囲】
【請求項１】
珪藻土を高温で焼成することを特徴とする納骨室用の土である。
【請求項２】
納骨室内の湿気を調湿するため、焼成した珪藻土を敷き詰めたことを特徴とする納骨室である。
【発明の詳細な説明】
【技術分野】
【０００１】湿気の多い納骨室（土葬含む）を高温で焼成した珪藻土で調湿する土である
【背景技術】
【０００２】本来人間は自然界の土に還るのですが、明治維新以後現代は骨壷のまま納骨されるため土に還ることができないでおります。また納骨室の環境（湿気）が悪くシロアリ繁殖にもつながります。
【発明の開示】
【０００３】本来人間は土に還るのですが、納骨室に入れる土がないため、高温で焼成した清められた土を発明した。
【０００４】珪藻土を高温で焼成することにより、今までにない高吸放湿率と高マイナスイオンを発生することを発明した。
【発明が解決しようとする課題】
【０００５】本発明はその解決策として、湿気を吸収し乾燥する事で、本来土に還るよりよい環境の手助けを考えた。
【課題を解決しようとする手段】
【０００６】珪藻土は超多孔質構造を持ち優れた調湿効果を持つ。
またその珪藻土を高温で焼成することで、より制度の高い調湿に優れた土を考えた。
【発明の効果】
【０００７】珪藻土は吸湿・消臭・調湿に優れ、またマイナスイオンの発生により酸化腐食やカビ・ダニの発生を防ぐ効果がある。
【０００８】現在の納骨室（土葬含む）は、誰もが納棺される最後の癒しの場所でありながら、湿気が多く衛生面で改善を考えます。
【０００９】この珪藻土を高温で焼成することで、より湿気を調湿し納骨室（土葬含む）の調和を図り最後に土に還るお役に立てればと考えました。
【００１０】本発明は、高温で焼成した珪藻土を納骨室（土葬含む）に散布することにより、湿気を調湿することで、環境の良い中で自然の土に還るお役にたてます。
高温で焼成することにより、”清められた土”としてお使いになれます。
【発明を実施するための最良の形態】
【００１１】以下、本発明の実施の形態を図１・図２に基好きづいて説明する。
【実施例】
【００１２】珪藻土は吸湿・消臭・調湿に優れ、またマイナスイオンの発生により酸化腐食やカビ・ダニの発生を防ぐ効果がある。その珪藻土を高温で焼成することでより吸湿・消臭・調湿に優れ、マイナスイオンを多く発生させる。
納骨室（土葬含む）内に高温で焼成した珪藻土を入れることで、環境を整え自然の土に還るお役に立つことを考えた。
【図面の簡単な説明】
【００１３】
【図１】納骨室に珪藻土を敷き、その上にお遺骨を納める。
【図２】土葬に珪藻土を敷き、その上にご遺体を納める。
【図１】
2006328919.tif 000003
【図２】
2006328919.tif 000004
(57)【要約】      （修正有）【課題】屋根を構成する部材を結合した状態のまま折りたたむことができ、床および壁の部分も支柱と接合させることで部材がばらばらにならず、設営や撤去が容易な簡易テントを提供する。【解決手段】テントの屋根の部分を支柱や壁を形成する部分と分離可能にする。屋根はその骨組みである骨材１ａを天頂部で屈折可能に結合させる。この骨材１ａの先端と支柱２ａの上端とを接続および分離可能にする。そして屋根を形成する屋根シート１ｃをこの骨組みに予め接合させておく。以上のように構成された屋根は傘のように閉じたり開いたりすることができる。また床および壁は一体のシートで形成し、壁には支柱２ａを予め接合させておく。支柱を接合したシートは剛体部分が支柱のみであるのでコンパクトに折りたたむことができる。設営時には折りたたんだシートをひろげ、屋根の部分は傘のように開き、屋根の骨材の先端と支柱の上端とを接続する。【選択図】図２
2006328929.tif 000002
【特許請求の範囲】
【請求項１】
テントの屋根を形成するシートおよび骨材は屋根を支える支柱と分離可能である。この屋根を形成する骨材は天頂である中央から四方または放射状に伸びており、その先端部が支柱と接続される。また、これら骨材は屋根の頂点で屈折可能に結合されており、屋根部を支柱から取り外すと傘のように閉じてたたむことができる簡易テント。
【請求項２】
前記簡易テントにおいて、床および壁となるシートが一体となるように一枚または複数枚を接合して形成されている。その壁となるシートには支柱が予め接合されており、屋根となるシートも屋根を形成する骨材と予め接合されている簡易テント。
【発明の詳細な説明】
【技術分野】
【０００１】  本発明は、日除けテント、日除け付レジャーシート、あるいは宿泊用テントとして利用可能な簡易テントに関する。
【背景技術】
【０００２】  従来、ほとんどのテントは骨組みとシートが別々になっており、その骨組みは多数の骨材を接続し、その骨組みにシートをヒモなどで結びつけるものであった。また、海水浴などで日除けとして利用するものでは傘のように開いて使用するパラソルが一般的である。
【発明の開示】
【発明が解決しようとする課題】
【０００３】  レジャーシート上の日除けとして利用するにはパラソルよりテントの方が有効であるが、テントの設営にはたくさんの骨材を組み合わせる作業とシートを骨組みへ取付ける作業、更にはロープや杭などを利用して固定する作業などもあり時間と労力を必要とする。またばらばらになった部材の取扱いや管理は面倒である。本発明では以上のような問題を解決しパラソルの代わりとしても容易に利用できるテントを提供する。
【課題を解決するための手段】
【０００４】  テントの屋根の部分を支柱や壁を形成する部分と分離可能にする。屋根はその骨組みである骨材１ａを天頂部で屈折可能に結合させる。この骨材の先端と支柱２ａの上端とを接続および分離可能にする。そして屋根シート１ｃをこの骨組みに予め接合させておく。また床および壁は一体のシートで形成し、壁には支柱を予め接合させておく。
【発明の効果】
【０００５】  以上のように構成されたテントの屋根は、設営時には傘のように開き支柱と接続するだけで設営でき、使用後は屋根を支柱から取り外し傘のように閉じてたたむだけである。また支柱を接合させた床および壁シートは、剛体部分が支柱のみであるのでこれもコンパクトに折りたたむことができる。このように、従来作業のような骨材の接続や取外し作業は少なく設営および撤去が簡単にできる。またシートと骨材を予め接合させていることでシートの骨材への取付け作業も省け、かつ多数の部品が予め接合されてまとまっていることで部品の紛失の恐れも少なく管理しやすくなった。このように本発明のテントは設営や撤去および管理が簡単なので海水浴やピクニックなどにも利用しやすい。
【発明を実施するための最良の形態】
【０００６】  屋根を形成する骨材１ａを天頂の連結具１ｂに屈折可能に結合させる。連結具は屋根を開いた時の各骨材の角度を制限する。更に屋根シート１ｃを骨材に取付けておく。この屋根シートによっても屋根を開く角度を制限できる。また４本の骨材の先端には支柱２ａと接続するための接続具１ｄをとりつけておく。【０００７】  床シート２ｂおよび壁シート２ｃは一枚のシートあるいは複数枚のシートを接合して形成する。その壁シートには支柱２ａを接合しておく。
【実施例】
【０００８】  前記のごとく構成されたテントにおいて、骨材１ａおよび支柱２ａにはアルミのパイプを用いることで軽量かつ剛性の高いテントの骨組みを実現した。骨材１ａと支柱２ａの接続は、例えば骨材１ａのパイプ内径が支柱２ａのパイプ外形より少しだけ大きいものを使えば直接嵌め込むことも可能であるが、パイプの曲げ加工などが必要になるので樹脂で作った接続具１ｄを使用した。この接続具は骨材１ａまたは支柱２ａのどちらでも良いが、ここでは骨材１ａの先端に接着剤を用いて接合し、支柱２ａはこの接続具に嵌め込んだり外したりすることができるようにした。【０００９】  そして屋根シート１ｃと壁シート２ｃの間に隙間ができないようにそれぞれのシートが少し重なるようにした。このとき重なった部分が風でバタバタと音をたてないようにお互いのシートをくっ付けあうためのマジックテープ３ｄを取付けた。【００１０】  また、屋根が使用時に風の力などで簡単に閉じることがないように、突っ張り具３ａを対向する骨材同士が突っ張りあうように取り付けた。更に杭などで地面に固定できるように環状の床留め具３ｂを床シート２ｂの周囲に取り付け、ロープなどで固定するための環状の屋根留め具３ｃを屋根シート１ｃの周囲に取り付けた。これらを利用すれば風が少々強くてもテントが倒れたり飛ばされたりすることがない。【００１１】  本発明の図１におけるテントの壁は対向する２面のみであるが、３面または４面すべてに壁を設けても良い。逆に床や壁となるシートをつけないで屋根を支柱のみで支える日除けテントとしても本発明は有効である。４面すべてに壁を設ける場合は、図６のように最低一箇所には出入り口を設ける必要がある。また本発明は、屋根や床の形状も４角形だけでなく５角形や６角形など多角形のものにも応用できる。
【図面の簡単な説明】
【００１２】
【図１】  本発明の組立て完成斜視図
【図２】  本発明の屋根を分離した一部切欠き斜視図
【図３】  本発明のテント天頂部である連結具１ｂ付近の断面図
【図４】  本発明の屋根を閉じた状態の一部断面図
【図５】  本発明の床および壁の部分の壁を折りたたんだ状態の平面図
【図６】  本発明の設営時の斜視図
【符号の説明】
【００１３】  １ａ  骨材
１ｂ  連結具
１ｃ  屋根シート
１ｄ  接続具
１ｅ  骨材１ａを屋根シート１ｃに固定する接着テープ
２ａ  支柱
２ｂ  床シート
２ｃ  壁シート
３ａ  突っ張り具
３ｂ  床留め具
３ｃ  屋根留め具
３ｄ  マジックテープ
【図１】
2006328929.tif 000003
【図２】
2006328929.tif 000004
【図３】
2006328929.tif 000005
【図４】
2006328929.tif 000006
【図５】
2006328929.tif 000007
【図６】
2006328929.tif 000008
(57)【要約】      （修正有）【課題】雪国における雪庇を防止して、落雪を防ぐことである。【解決手段】笠木(及び屋根)に、風切り立ち上がり部分を金属および樹脂の単一材で作製し、建物と一体となるように取り付け、風切りの頂部で風の乱れを起こし雪の付着を防いで雪庇を防止する。単一材で作製することにより、成型加工、曲げ加工、溶接加工が容易となる。【選択図】図１
2006328926.tif 000002
【特許請求の範囲】
【請求項１】
笠木に、立ち上がり部分を持ち、雪庇の出来るのを防ぐ金属および樹脂で作られた、一体の物である。
【請求項２】
笠木及び屋根に立ち上がり部分を取り付け、雪庇の出来るのを防ぐ金属および樹脂で作られた物である。
【発明の詳細な説明】
【発明の詳細な説明】
【産業上の利用分野】
【０００１】本発明は、雪国における、屋根の雪庇を防止し、落雪を防ぐものである。
【背景技術】
【０００２】従来のものは、複数の材料の組み合わせから作られ、大型で細工が複雑で取り付けも大掛かりで、コストも高い。
【発明が解決しようとする課題】
【０００３】本発明は、上記した従来の問題を解決するためになされるものです。その目的とするところは、形状の単純化、小型化、軽量化、取り付け工事の省力化により、コスト安くすることである。
【課題を解決するための手段】
【０００４】上記目的を解決するために、この発明は、機能及び強度、美観、耐久年数の確保し、単一材で作る事にある。
【作用】
【０００５】以下、木発明を図面に示す実施の形態に基づいて詳細に説明する。図１は本発明の雪庇防止笠木の代表図、図２は雪庇防止笠木各種の透視図、図３、図４は断面図を示す。
【０００６】図２の（イ）、および（ロ）、は風切り立ち上がり部分を示し（ロ）、は風抜け穴を設けたものである。
【０００７】断面図、図３、図４は雪庇防止笠木の立ち上がり部分と、それと一体でつながり、建物に取りつける基盤の形状例を示すものである。
【実施例】
【０００８】断面図、図３、図４で示す、風切り立ち上げ部分と基盤部分を成型加工又は曲げ加工、溶接で本発明の雪庇防止笠木を製作するものである。
【発明の効果】
【０００９】以上説明したように、本発明は単一材で作製することにより、成型加工、曲げ工、溶接加工を容易にして、形状の単純化、小型化、軽量化、となり、生産、運搬、取り付けを省力化することが出来ものである。
【図面の簡単な説明】
【００１０】
【図１】本発明の全体を描いた代表図である。
【図２】透視図である。
【図３】断面図である。
【図４】断面図である。
【図１】
2006328926.tif 000003
【図２】
2006328926.tif 000004
【図３】
2006328926.tif 000005
【図４】
2006328926.tif 000006
(57)【要約】【課題】  より安価で早く堅牢なＬ型擁壁を築造する事。【解決手段】  底版の鉄筋まで組み込んだプレキャストコンクリートの竪壁を先に設置し、その後で底版コンクリートを打設することで、この課題を解決する。【選択図】  図３
2006328922.tif 000002
【特許請求の範囲】
【請求項１】
鉄筋コンクリートＬ形擁壁で竪壁に底版の鉄筋まで組み込んだプレキャストコンクリート製品を使用し、先に竪壁を設置した後に底版コンクリートを打設し完成することを特徴とするＬ形擁壁の築造方法。
【発明の詳細な説明】
【技術分野】
【０００１】本発明は、鉄筋コンクリート造のＬ形擁壁に関するものであり、築造方法に工夫を加えることにより、より安価で早く確実に築造できるようにしたものである
【背景技術】
【０００２】従来鉄筋コンクリート造のＬ形擁壁の築造方法としては、すべて現場で鉄筋の組み立て、型枠の組み立て、コンクリートの打設を行う方法と、工場で製作したＬ形の製品を現場で設置する方法がありました。
【発明が解決しようとする課題】
【０００３】しかし、すべて現場で製作する場合は、製作日数がかかるという欠点と、工場で製作した製品を現場で設置する場合、設置に手間取る事と、設置した製品と地盤との間に空洞が残る為、後で狂いが出ると言う欠点がありました。
【課題を解決するための手段】
【０００４】鉄筋の組み立て、竪壁のコンクリート打設は工場生産であり、また製品の大きさも小さくなる為、設置がより簡単となる。又底版のコンクリートは現場での打設なので地盤と完全に密着した堅牢な構造となる。
【発明の効果】
【０００５】本発明により、今までより安価で堅牢なＬ形擁壁が築造できる。
【発明を実施するための最良の形態】
【０００６】  図１は、底版の鉄筋１まで組み込んだ竪壁２の斜視図である。
平らな平面の上で竪壁２の外枠を組み、その中に組み立てた鉄筋１を入れ、コンクリートを流し込めば出来上がりである。型枠設備にほとんど投資がいらない。【０００７】  図２は、現場での竪壁２の設置状況の斜視図である。
設置用ブロック３を高さを調整して置き、その上に竪壁２を設置する。【０００８】  図３は、完成した状態の斜視図である。
底版用の型を組、コンクリートを流し込めば完成する。
底版のコンクリートと地盤が完全に密着し堅牢なＬ型擁壁となります。
【図面の簡単な説明】
【０００９】
【図１】  底版の鉄筋１を組み込んだ竪壁２の斜視図である。
【図２】  底版の鉄筋１を組み込んだ竪壁２を設置した斜視図である。
【図３】  底版コンクリート４を打設し完成したＬ型擁壁の斜視図である。
【符号の説明】
１      底版用鉄筋
２      プレキャストコンクリートの竪壁
３      竪壁設置用コンクリートブロック
４      現場打設底版コンクリート
【図１】
2006328922.tif 000003
【図２】
2006328922.tif 000004
【図３】
2006328922.tif 000005
(57)【要約】      （修正有）【課題】左右の隙間の少ない側溝蓋を設置又は取り外そうとしても、左右の側溝蓋と干渉して設置等が行いにくい。また、側溝蓋を挟み込み吊り上げる機構の軸の摩擦増大による動作不良を解決する。【解決手段】梃子台車等を利用して側溝蓋を設置又は取り外すときに、台車と側溝蓋設置機の連結を水平方向に自由度のある吊り下げ具７で行う。また、側溝蓋を挟み込む機構の動作支点を４組の管による軸受け、２ｃ、２ｄで構成する。【選択図】図１
2006328928.tif 000002
【特許請求の範囲】
【請求項１】
側溝蓋側面の切り欠き部分を挟み込み、側溝蓋を吊り上げる機構で、側溝蓋を隙間の少ない元の位置に挿入するとき、機構を水平方向に若干自由に動かせることを特徴とする側溝蓋設置機。
【請求項２】
前記機構の動作を確実に行うため、左右２本の動作軸を有し、それぞれの軸の軸受けは２本の管（合計４本）で構成し、側溝蓋を挟み込み吊り上げることを特徴とする請求項１記載の側溝蓋設置機。
【発明の詳細な説明】
【技術分野】
【０００１】  本発明は側溝蓋の設置又は取り外しの時に使用する装置に関する。
【背景技術】
【０００２】  従来の側溝蓋設置機は側溝蓋を設置又は取り外すとき、吊り下げ吊り上げ動作中は水平方向に側溝蓋を移動できないため、左右の側溝蓋が設置され隙間の少ない真ん中の側溝蓋を設置又は取り外しにくい。【０００３】  従来の側溝蓋を挟み込む機構には軸受けが数少なく、軸受けの当たり面が小さいため、軸受けの単位面積あたりの荷重が大きく、機構の動作が不安定である。【０００４】  なお、本願発明に関連する公知技術として次の特許文献１及び特許文献２を挙げることができる。
【特許文献１】特開２００１−８０８７２
【特許文献２】特開２００２−２５５３２３
【発明の開示】
【発明が解決しようとする課題】
【０００５】  以上に述べた従来の側溝蓋設置機では、左右の隙間が少ない側溝蓋を設置又は取り外そうとしても、左右の側溝蓋と干渉し設置等が行い難く、設置等の前に正確に台車等の位置決めを必要とする。【０００６】  また、側溝蓋の荷重を受ける軸受け面積が小さく、軸受けの単位面積当たりの荷重が大きいため、側溝蓋を挟み込む機構は動きにくく、確実に側溝蓋を挟み込めずに吊り上げることが困難である。【０００７】  本発明はこのような従来の機構が有していた問題を解決しようというものであり、スムーズに側溝蓋を設置又は取り外すことができ、確実に側溝蓋を挟み込み吊り上げることを目的とする。
【課題を解決するための手段】
【０００８】  そして、本発明は上記目的を達成するために、側溝蓋設置機を吊り下げた状態で、ある程度水平方向に動かすことができる構造とした。【０００９】  また、第２の課題の解決手段は軸及び軸受けを丸棒と管の組み合わせとし、４カ所設けた簡易な構造とした。【００１０】  上記第１の課題解決手段による作用は次の通りである。すなわち、側溝蓋設置機を吊り下げたままある程度水平方向に自由に動かせる構造としたため、台車等の位置が正確な位置でなくてもスムーズに設置等行える。【００１１】  また、第２の課題解決手段による作用は、丸棒と管の組み合わせの軸及び軸受けとしたことにより構造が簡易となり、４組設けることにより軸受けの単位面積当たりの荷重を減少させ、確実な動作で側溝蓋を挟み込み吊り上げることができる。
【発明の効果】
【００１２】  上述したように本発明の側溝蓋設置機は、左右の隙間の小さい場所にも側溝蓋をスムーズに設置等できる。【００１３】  また、軸受けを管とし４組設けることにより簡易な構造となり、軸受け単位面積当たりの荷重を減少させることによって、側溝蓋を挟み込む機構の動作を確実に行える。
【発明の実施するための最良の形態】
【００１４】  以下、本発明の実施の形態を図１〜図３に基づいて説明する。
【００１５】  図１においては、１ｂは連結フレームで２ｃ２ｄの管による軸受けと接合され、左右の軸３ａ３ｂの荷重を受ける。
【００１６】  図１左側のＬ板４ａは図２のとおり軸３ａに接合され、軸受け２ｃに軸３ａが挿入されている。  右側のＬ板４ｂ、軸３ｂ、軸受け２ｄも左側と同様の構成である。
【００１７】  図１左側のＬ板４ａは腕金５ａと接合し、５ａの先にはＵ字環６ａを接合させる。
右側のＬ板４ｂ、腕金５ｂ、Ｕ字環６ｂも左側と同様の構成である。
【００１８】  図２は側溝蓋設置機を上から投影した平面図である。
【００１９】  図１中央の吊り下げ具７ワイヤーロープ等の柔構造で、左右のＵ字環６ａ６ｂの環内をくぐらせ図３の梃子台車と接続させる。
【００２０】  以下、上記構成の動作を説明する。図１において吊り下げ具７を引き上げるとＵ字環６ａ６ｂを上部に移動させ、Ｕ字環６ａ６ｂに接合された腕金５ａ５ｂを、軸３ａ３ｂを中心に回転させその先に接合したＬ板４ａ４ｂで側溝蓋を挟み込む。この状態でさらに吊り下げ具７を引き上げると側溝蓋を吊り上げることができ、側溝蓋の設置又は取り外しが行える。
【００２１】  また、図２のとおり軸３ａ３ｂは軸受け２ａ２ｂ２ｃ２ｄと組み合わせ、荷重を４つに分散させ軸の単位面積当たりの荷重を減少させ、軸の回転動作がスムーズとなり確実に側溝蓋を挟み込み吊り上げることができる。
【図面の簡単な説明】
【００２２】
【図１】本発明の実施形態を示す側溝蓋設置機の側面図
【図２】同側溝蓋設置機の上部から見た平面図
【図３】側溝蓋設置機を利用するための梃子台車参考図
【符号の説明】
２ａ２ｂ２ｃ２ｄ        管による軸受け
３ａ３ｂ                軸
４ａ４ｂ                Ｌ板
７                      吊り下げ具
【図１】
2006328928.tif 000003
【図２】
2006328928.tif 000004
【手続補正書】
【提出日】平成17年8月1日(2005.8.1)
【手続補正１】
【補正対象書類名】明細書
【補正対象項目名】００２２
【補正方法】変更
【補正の内容】
【００２２】
【図１】本発明の実施形態を示す側溝蓋設置機の側面図
【図２】同側溝蓋設置機の上部から見た平面図
【手続補正書】
【提出日】平成17年8月1日(2005.8.1)
【手続補正１】
【補正対象書類名】明細書
【補正対象項目名】００１９
【補正方法】変更
【補正の内容】
【００１９】  図１中央の吊り下げ具７ワイヤーロープ等の柔構造の物を、左右のＵ字環６ａ６ｂの環内をくぐらせ、梃子台車などで上方に吊り上げる。